(57)【特許請求の範囲】
【請求項１】
レチクル（５）を備えた光学装置において、
プリズムの一部を押さえるプリズム押さえ（６）と、
そのプリズムの他の部分を一端側で保持するとともに、他端側でレチクル（５）を保持するプリズムボックス（２）と、
プリズム押さえ（６）、プリズム、プリズムボックス（２）及びレチクル（５）を内側に収容する鏡筒（８）を有し、
プリズム押さえ（６）のネジ部分（６ａ）とプリズムボックス（２）の一端側の延長部（２ｂ）のネジ部（２ｃ）とを係合させて、プリズムをプリズム押さえ（６）とプリズムボックス（２）の一部との間で保持し、
鏡筒（８）の内周面に段部（８ｂ）を形成し、その鏡筒（８）の内周面の段部（８ｂ）にプリズムボックス（２）の一端を突き当てて、押え環（７）と鏡筒（８）の段部（８ｂ）により挟み込む形でプリズムボックス（２）を所定位置に保持することを特徴とする光学装置。
【請求項２】
押え環（７）のネジ部（７ａ）と鏡筒（８）のネジ部（８ａ）を係合させるとともに、プリズムボックス（２）の他端側のテーパ部（２ａ）と押え環（７）のテーパ部（７ｂ）とを係合させて、鏡筒（８）と押え環（７）の間でプリズムボックス（２）を保持することを特徴とする請求項１に記載の光学装置。
【請求項３】
プリズムがシュミットプリズム（３）と補助プリズム（４）を有することを特徴とする請求項１又は２に記載の光学装置。
【請求項４】
鏡筒（８）の内周面の段部（８ｂ）と押え環（７）の間でプリズムボックス（２）を鏡筒（８）の内周面の中に保持した状態で、プリズム（３）がプリズムボックス（２）の一端とプリズム押え（６）によりプリズムボックス（２）の一端側の延長部（２ｂ）の中に保持されることを特徴とする請求項１〜３のいずれか１項に記載の光学装置。
【発明の詳細な説明】
【技術分野】
【０００１】
本発明は、レチクル（照準儀）を備えた光学装置、例えば、望遠鏡、顕微鏡、双眼鏡のような光学装置に関する。
【背景技術】
【０００２】
従来から、レチクル（照準儀）や、正立型プリズム（シュミット・プリズム）を備えた望遠鏡、顕微鏡、双眼鏡などの光学装置が知られている。
【０００３】
また、光学式の照準具は、拳銃、猟銃又はライフル銃などに取り付けられている（例えば、特許文献１〜４参照）。
【先行技術文献】
【特許文献】
【０００４】
【特許文献１】特許２６３２９７６号公報
【特許文献２】特表２０１０−５２８２５１号公報
【特許文献３】特開２００５−３１６２５８号公報
【特許文献４】実開昭５５−１０３６１１号公報
【発明の概要】
【発明が解決しようとする課題】
【０００５】
しかしながら、従来の光学装置では、シュミットプリズムのところで、ガタが発生し、レチクルの位置がずれてしまうことがあった。とくに、シュミットプリズムは、その形状から保持が難しく、しかも、確実に保持するには複雑な形状の部品が必要となり、低コストで少量生産をすることには適さなかった。
【０００６】
また、レチクルを有する光学系の場合、プリズムユニットが衝撃などにより動いてしまうことがある。そのため、光学系の軸とレチクルの関係性が崩れ、照準ずれが生じることがあった。
【０００７】
そこで、本発明は、安価でかつ容易にプリズムを保持することができる光学装置を提供することを目的とする。
【０００８】
また、本発明は、レチクルの位置がずれないようにし、耐衝撃性に優れた状態でプリズムを保持することが可能である光学装置を提供することを目的とする。
【課題を解決するための手段】
【０００９】
本発明の解決手段を例示すると、特許請求の範囲に記載の光学装置である。すなわち、
（１）  レチクルを備えた光学装置において、
プリズムの一部を押さえるプリズム押さえと、
そのプリズムの他の部分を一端側で保持するとともに、他端側でレチクルを保持するプリズムボックスと、
プリズム押さえ、プリズム、プリズムボックス及びレチクルを内側に収容する鏡筒を有し、
プリズム押さえのネジ部分とプリズムボックスの一端側の延長部のネジ部とを係合させて、プリズムをプリズム押さえとプリズムボックスの一部との間で保持することを特徴とする光学装置。
【００１０】
（２）  押え環のネジ部と鏡筒のネジ部を係合させるとともに、プリズムボックスの他端側のテーパ部と押え環のテーパ部とを係合させて、鏡筒と押え環の間でプリズムボックスを保持することを特徴とする前述の１に記載の光学装置。
【００１１】
（３）  プリズムがシュミットプリズムと補助プリズムを有することを特徴とする前述の１又は２に記載の光学装置。
【００１２】
（４）  鏡筒の内周面の段部と押え環の間でプリズムボックスを保持することを特徴とする前述の１〜３のいずれかに記載の光学装置。
【００１３】
（５）  レチクルを備えた光学装置において、
プリズムの一部を押さえるプリズム押さえと、
そのプリズムの他の部分を一端側で保持するとともに、他端側でレチクルを保持するプリズムボックスと、
プリズム押さえ、プリズム、プリズムボックス及びレチクルを内側に収容する鏡筒を有し、
押え環のネジ部と鏡筒のネジ部を係合させるとともに、プリズムボックスの他端側のテーパ部と押え環のテーパ部とを係合させて、鏡筒と押え環の間でプリズムボックスを保持することを特徴とする光学装置。
【００１４】
（６）  プリズムがシュミットプリズムと補助プリズムを有することを特徴とする前述の５に記載の光学装置。
【００１５】
（７）  鏡筒の内周面の段部と押え環の間でプリズムボックスを保持することを特徴とする前述の５〜６のいずれかに記載の光学装置。
【発明の効果】
【００１６】
本発明によれば、プリズム押さえにネジ部を設け、プリズムボックスの一端の延長部に設けたネジ部とプリズム押さえのネジ部とを係合させることで、安価で容易にプリズムを保持することができる。
【００１７】
また、押え環の外周面にネジ部を設け、かつ、鏡筒の内周面にネジ部を設け、それらのネジ部を係合させ、さらに、押え環の内周面およびプリズムボックスの外周面にテーパ部を設け、それらのテーパ部を係合させることで、鏡筒内におけるプリズムボックスの位置ずれを防止し、耐衝撃性に優れた保持を可能とすることができる。
【図面の簡単な説明】
【００１８】
【図１】本発明に係るレチクル付きの望遠鏡の組立状態を示す断面図。
【図２】図１に示したレチクル付きの望遠鏡のうち、プリズムボックス、プリズム押さえ、プリズム及びレチクルの分解状態を斜め方向から見た斜視図。
【図３】図１に示したプリズムボックス、プリズム押さえ、プリズム及びレチクルの組立状態（押え環は組立前の状態）を示す斜視図。
【図４】図１に示したプリズムボックス、プリズム及びレチクルの組立状態の平面図で、プリズム押さえのみは、組立前の状態が断面で示されている。
【図５】図１に示したプリズムボックス、プリズム押さえ、プリズム及びレチクルの組立状態（押え環は、組立前の状態）を示す、軸心方向に沿った断面図。
【図６】図１に示したプリズムボックス、押え環、プリズムの組立状態（プリズム押さえは組立前の状態）を示す斜視図。
【発明を実施するための形態】
【００１９】
本発明に係る光学装置として、例えば拳銃、猟銃又はライフル銃などに取り付けられるレチクル付きの望遠鏡を一例として説明する。
【００２０】
図１〜６に示す実施例では、プリズムユニット１が、レチクル付き望遠鏡として構成されている。
【００２１】
図１は、レチクル付きの望遠鏡として構成されたプリズムユニット１の軸心方向に沿った断面を示す。
【００２２】
図２は、そのようなレチクル付きの望遠鏡として構成されたプリズムユニット１のうち、プリズムボックス２とそれに関連する構成部品の分解状態を斜め方向から見て示している。換言すれば、図２はプリズムボックス２とそれに関連する構成部品の組立前の状態を示している。
【００２３】
図３は、プリズムボックス２とそれに関連する構成部品の組立後の状態（ただし押え環７は組立前の状態）を示す。
【００２４】
図４〜５は、プリズムボックス２とそれに関連する構成部品の軸心方向に沿った断面図であり、図４はプリズム押さえ６のみを断面で示し、それ以外の構成部品は平面で示している。図５はプリズムボックス２とそれに関連する構成部品の全体を断面で示している。
【００２５】
図６は、図３とは別の視点から、プリズムボックス２とそれに関連する構成部品の組立後の状態（ただしプリズム押さえ６は組立前の状態）を示している。
【００２６】
図１〜６において、プリズムユニット１は、プリズムボックス２、プリズム（例えば、正立型プリズムすなわちシュミットプリズム３と、補助プリズム４と、それらの間に挟まれた遮光板９からなるプリズム）、レチクル５およびプリズム押さえ６を有し、レチクル付き望遠鏡を構成する。
【００２７】
プリズムが、プリズムボックス２の一端とプリズム押さえ６との間に収められた状態で、プリズム押さえ６の内周側のネジ部６ａと、プリズムボックス２の一端の延長部２ｂの先端の円弧状部分に形成されたネジ部２ｃとを係合させることで、プリズムを所定の位置に正確かつ確実に保持している。
【００２８】
プリズムボックス２の他端の外周面にはテーパ部２ａが形成されており、押え環７の内周面にはテーパ部７ｂが形成されており、必要に応じて、それらのテーパ部２ａ、７ｂを互いに係合させるようになっている。さらに、押え環７の外周面にネジ部７ａが形成され、鏡筒８の内周面にネジ部８ａが形成されており、必要に応じて、それらのネジ部７ａ、８ａを互いに係合させるようになっている。
【００２９】
組立の際に、このようなテーパ部２ａ、７ｂとネジ部７ａ、８ａの係合によって、プリズムボックス２が鏡筒８の内周面内を図１の左方に向けて摺動させられ、プリズムボックス２の一端（図１の左端）が鏡筒８の内周面の段部８ｂに突き当り、そこで、押え環７と鏡筒８（とくにその段部８ｂ）により挟み込む形で所定の位置にプリズムボックス２は保持される。その際、押え環７及び鏡筒８のネジ結合を実施するとともに、押え環７及びプリズムボックス２のテーパ係合を実施することで、プリズムボックス２は、それらの間で強固に締め付けられる。
【００３０】
組立のとき、プリズムボックス２が鏡筒８の内周面を（図１の左方向に）摺動していくと、プリズム押さえ６も、鏡筒８の別の内周面（図１の左側に位置する、少し径が小さい内周面）を摺動しつつ移動していくようになっている。
【００３１】
遮光板９がシュミットプリズム３と補助プリズム４の間に挟まれて固定されている。
【００３２】
前述の実施例においては、プリズム押さえ６の内周側にネジ部６ａを設け、プリズムボックス２の一端側の延長部２ｂの先端の円弧部分のネジ部２ｃとを係合させることで、安価で容易なプリズムの保持を実現している。
【００３３】
また、押え環７の内周側のテーパ部７ｂおよびプリズムボックス２の他端の外周側のテーパ部２ａを係合させることで、プリズムボックス２の位置が鏡筒８内の所定位置からずれないようにしている。この結果、耐衝撃性に優れた保持が可能となった。
【符号の説明】
【００３４】
１プリズムユニット
２  プリズムボックス
３  シュミットプリズム
４  補助プリズム
５  レチクル
６  プリズム押さえ
７  押え環
８  鏡筒
９  遮光板
【図１】
0005954986.tif 000002
【図２】
0005954986.tif 000003
【図３】
0005954986.tif 000004
【図４】
0005954986.tif 000005
【図５】
0005954986.tif 000006
【図６】
0005954986.tif 000007